【手続補正書】
【提出日】平成29年7月25日(2017.7.25)
【手続補正１】
【補正対象書類名】明細書
【補正対象項目名】発明の名称
【補正方法】変更
【補正の内容】
【発明の名称】エレベーター用冠水運転制御方法及びエレベーター用冠水運転制御システム
【手続補正２】
【補正対象書類名】特許請求の範囲
【補正対象項目名】全文
【補正方法】変更
【補正の内容】
【特許請求の範囲】
【請求項１】
建物に設備された昇降路における各階床間を昇降する乗りかごの運行、冠水退避、動作休止の制御を行うエレベーター制御装置が当該昇降路内に配備されて冠水を検出する冠水センサーからの冠水検出結果に応じて冠水検出状態では予め設定された避難階に自動で当該乗りかごを退避運行させ、冠水非検出状態に至るまでの間、当該乗りかごを運休状態に保持する冠水制御運転を行うエレベーター用冠水運転制御方法において、
前記エレベーター制御装置と接続されて当該エレベーター制御装置に対して運行制御の指令を行うエレベーター監視指令手段によって、当該エレベーター制御装置が前記冠水制御運転を開始した冠水退避状態を検出すると、当該エレベーター制御装置に対して前記乗りかごの停止基準階を最上階に設定すると共に、当該乗りかごの運行速度に関する加速速度及び減速速度を低下するように変更を指令する乗りかご停止階設定・運行速度変更指令を行い、当該エレベーター制御装置が前記冠水センサーからの前記冠水非検出状態を示す浸水復旧を受けて当該冠水制御運転を終了する冠水退避解除状態を検出すると、当該エレベーター制御装置に対して前記冠水退避及び前記動作休止の解除を通知すると共に、当該乗りかごの運行速度に関する加速速度及び減速速度の変更を解除する乗りかご冠水退避及び動作休止解除・運行速度変更指令解除を行うことを特徴とするエレベーター用冠水運転制御方法。
【請求項２】
請求項１記載のエレベーター用冠水運転制御方法において、
前記エレベーター監視指令手段を介して前記エレベーター制御装置と接続されて前記乗りかごの運行状態を受信すると共に、当該エレベーター制御装置に対して運行指令を送信する監視センターからの予防冠水退避の指令を当該エレベーター監視指令手段へ送信し、当該予防冠水退避の指令を受信した当該エレベーター監視指令手段が前記乗りかご停止階設定・運行速度変更指令を行うことを特徴とするエレベーター用冠水運転制御方法。
【請求項３】
請求項１又は２記載のエレベーター用冠水運転制御方法において、
前記昇降路が同一の建物に複数設備されると共に、前記乗りかご、前記冠水センサー、前記エレベーター制御装置、及び前記エレベーター監視指令手段が当該複数の昇降路別に設けられるか、或いは当該昇降路が隣接する複数の異なる建物別に設備されると共に、当該乗りかご、当該冠水センサー、当該エレベーター制御装置、及び当該エレベーター監視指令手段が当該複数の建物における昇降路毎に設けられた構成下で、当該複数のエレベーター監視指令手段が、互いに接続されて他のものから送信された前記冠水制御運転を開始した冠水退避状態を受信するか、或いは当該エレベーター制御装置に対して運行指令を送信する監視センターから予防冠水退避の指令を受信すると、自身に接続された当該エレベーター制御装置に対して前記乗りかご停止階設定・運行速度変更指令を行うことを特徴とするエレベーター用冠水運転制御方法。
【請求項４】
請求項３記載のエレベーター用冠水運転制御方法において、
前記複数のエレベーター監視指令手段として、前記監視センターとの間で公衆通信網により接続されると共に、自身に接続された前記エレベーター制御装置を介して前記乗りかごの異常を検出すると当該公衆通信網を経由して当該監視センターへ通報を行うエレベーター監視・通報装置を適用したことを特徴とするエレベーター用冠水運転制御方法。
【請求項５】
建物に設備された昇降路における各階床間を昇降する乗りかごの運行、冠水退避、動作休止の制御を行うエレベーター制御装置と、前記昇降路内に配備されて冠水を検出する冠水センサーと、を備え、
前記エレベーター制御装置が前記冠水センサーからの冠水検出結果に応じて冠水検出状態では予め設定された避難階に自動で前記乗りかごを退避運行させ、冠水非検出状態に至るまでの間、当該乗りかごを運休状態に保持する冠水制御運転を行うエレベーター用冠水運転制御システムにおいて、
前記エレベーター制御装置と接続されて当該エレベーター制御装置が前記冠水制御運転を開始した冠水退避状態を検出すると、当該エレベーター制御装置に対して前記乗りかごの停止基準階を最上階に設定すると共に、当該乗りかごの運行速度に関する加速速度及び減速速度を低下するように変更を指令する乗りかご停止階設定・運行速度変更指令を行い、当該エレベーター制御装置が前記冠水センサーからの前記冠水非検出状態を示す浸水復旧を受けて当該冠水制御運転を終了する冠水退避解除状態を検出すると、当該エレベーター制御装置に対して前記冠水退避及び前記動作休止の解除を通知すると共に、当該乗りかごの運行速度に関する加速速度及び減速速度の変更を解除する乗りかご冠水退避及び動作休止解除・運行速度変更指令解除を行うエレベーター監視指令手段を備えたことを特徴とするエレベーター用冠水運転制御システム。
【請求項６】
請求項５記載のエレベーター用冠水運転制御システムにおいて、
前記エレベーター監視指令手段を介して前記エレベーター制御装置と接続されて前記乗りかごの運行状態を受信すると共に、当該エレベーター制御装置に対して運行指令を送信する監視センターを備え、
前記エレベーター監視指令手段は、前記監視センターからの予防冠水退避の指令を受信すると、前記エレベーター制御装置に対して前記乗りかご停止階設定・運行速度変更指令を行うことを特徴とするエレベーター用冠水運転制御システム。
【請求項７】
請求項５又は６記載のエレベーター用冠水運転制御システムにおいて、
前記昇降路は、同一の建物に複数設備されており、
前記乗りかご、前記冠水センサー、前記エレベーター制御装置、及び前記エレベーター監視指令手段は、前記複数の昇降路別に設けられ、
前記複数のエレベーター監視指令手段は、互いに接続されて他のものから送信された前記冠水制御運転を開始した冠水退避状態を受信するか、或いは当該エレベーター制御装置に対して運行指令を送信する監視センターから予防冠水退避の指令を受信すると、自身に接続された前記エレベーター制御装置に対して前記乗りかご停止階設定・運行速度変更指令を行うことを特徴とするエレベーター用冠水運転制御システム。
【請求項８】
請求項５又は６記載のエレベーター用冠水運転制御システムにおいて、
前記昇降路は、隣接する複数の異なる建物別に設備されており、
前記乗りかご、前記冠水センサー、前記エレベーター制御装置、及び前記エレベーター監視指令手段は、前記複数の建物における昇降路毎に設けられ、
前記複数のエレベーター監視指令手段は、互いに接続されて他のものから送信された前記冠水制御運転を開始した冠水退避状態を受信するか、或いは当該エレベーター制御装置に対して運行指令を送信する監視センターから予防冠水退避の指令を受信すると、自身に接続された前記エレベーター制御装置に対して前記乗りかご停止階設定・運行速度変更指令を行うことを特徴とするエレベーター用冠水運転制御システム。
【請求項９】
請求項７又は８記載のエレベーター用冠水運転制御システムにおいて、
前記複数のエレベーター監視指令手段は、前記監視センターとの間で公衆通信網により接続されると共に、自身に接続された前記エレベーター制御装置を介して前記乗りかごの異常を検出すると当該公衆通信網を経由して当該監視センターへ通報を行うエレベーター監視・通報装置であることを特徴とするエレベーター用冠水運転制御システム。